(57)【要約】【課題】複数の透視画像から参照画像を選択する際の利便性を向上させることができる医用装置、医用装置の制御方法、およびプログラムを提供することである。【解決手段】実施形態の医用装置は、取得部と、選択部と、を持つ。取得部は、時系列に被検体を撮影した透視画像を取得する。選択部は、前記取得部によって取得された複数の前記透視画像の中から、前記被検体の最大呼気位置および最大吸気位置に対応する透視画像を含んで参照画像を選択する。【選択図】図１
2019107393.tif 000002
【特許請求の範囲】
【請求項１】
時系列に被検体を撮影した透視画像を取得する取得部と、
前記取得部によって取得された複数の前記透視画像の中から、前記被検体の最大呼気位置および最大吸気位置に対応する透視画像を含んで参照画像を選択する選択部と、
を備える医用装置。
【請求項２】
前記取得部によって取得された前記透視画像に対して、前記被検体の呼吸位相に基づく追跡値を対応付ける対応付部を備える請求項１に記載の医用装置。
【請求項３】
前記追跡値のうちの１つを入力可能とされた入力部を備え、
前記選択部は、前記入力部に入力された前記追跡値に応じた前記呼吸位相を含む前記被検体における所定数分の呼吸の透視画像を前記参照画像として選択する請求項２に記載の医用装置。
【請求項４】
前記選択部は、前記入力部に入力された前記追跡値に応じた前記呼吸位相の直前または直後における前記被検体の最大呼気位置または最大吸気位置を中心とした範囲の透視画像を前記参照画像として選択する請求項３に記載の医用装置。
【請求項５】
前記選択部は、前記入力部に入力された追跡値が前記被検体の最大呼気位置または最大吸気位置に応じた前記追跡値であるときに、入力された前記最大呼気位置または最大吸気位置を中心とした範囲の透視画像を前記参照画像として選択する請求項３に記載の医用装置。
【請求項６】
前記選択部は、前記最大呼気位置または最大吸気位置を中心として、前後に均等数の透視画像を参照画像として選択する請求項４または５に記載の医用装置。
【請求項７】
前記選択部は、前記取得部によって取得された複数の前記透視画像を前記追跡値に基づいて並べ替え、前記追跡値の最大値と最小値の間で均等である追跡値が対応付けられた前記透視画像を参照画像として選択する請求項２〜６のうちのいずれか１項に記載の医用装置。
【請求項８】
前記選択部は、前記被検体の数呼吸分の間で、最大呼気位置および最大吸気位置が異なるときに、複数の最大呼気位置と最大吸気位置のうち、最大呼気位置と最大吸気位置の差が最大となる最大呼気位置と最大吸気位置の透視画像を含んで前記参照画像を選択する請求項１〜７のうちのいずれか１項に記載の医用装置。
【請求項９】
前記被検体の呼吸の乱れ位置に対応する透視画像を前記選択部によって選択される透視画像から除外する除外部を備える請求項１〜８のうちのいずれか１項に記載の医用装置。
【請求項１０】
前記選択部によって選択された参照画像に基づいてテンプレートを作成するテンプレート作成部を備える請求項１〜９のうちのいずれか１項に記載の医用装置。
【請求項１１】
表示部に画像を表示させる表示制御部を更に備え、
前記表示制御部は、照射許可範囲を透視画像に重畳表示させ、追跡対象箇所の位置が照射許可範囲内に収まって照射許可信号を出力する際に照射許可範囲の色を変更する請求項１〜１０のうちのいずれか１項に記載の医用装置。
【請求項１２】
表示部に画像を表示させる表示制御部を更に備え、
前記表示制御部は、照射許可範囲を透視画像に重畳表示させ、照射許可信号を出力する際に、照射許可範囲の内側領域と外側領域のいずれかの色彩または輝度を変更する請求項１〜１１のうちのいずれか１項に記載の医用装置。
【請求項１３】
照射許可信号を出力する際に、音または振動で通知する通知部を備える請求項１〜１２のうちのいずれか１項に記載の医用装置。
【請求項１４】
コンピュータが、
時系列に被検体を撮影した透視画像を取得する取得し、
取得された複数の前記透視画像の中から、前記被検体の最大呼気位置および最大吸気位置に対応する透視画像を含んで参照画像を選択する、
医用装置の制御方法。
【請求項１５】
コンピュータに、
時系列に被検体を撮影した透視画像を取得させ、
取得された複数の前記透視画像の中から、前記被検体の最大呼気位置および最大吸気位置に対応する透視画像を含んで参照画像を選択させる、
プログラム。
【発明の詳細な説明】
【技術分野】
【０００１】
本発明の実施形態は、医用装置、医用装置の制御方法、およびプログラムに関する。
【背景技術】
【０００２】
重粒子線や放射線などの治療ビームを患者（被検体）に照射する治療装置が知られている。被検体の患部、すなわち治療ビームＢを照射する箇所は、呼吸や心拍、腸の動きなどによって移動する場合がある。これに対応する治療法として、ゲーテッド照射法や追尾照射法が知られている。
【０００３】
呼吸によって移動する患部に治療ビームを照射する場合、被検体の呼吸位相と同期させて照射を行う必要がある。呼吸位相同期の手法として、被検体の身体に取り付けた各種センサの出力値を利用して呼吸位相を把握する手法（外部呼吸同期）と、被検体の透視画像に基づいて呼吸位相を把握する手法（内部呼吸同期）がある。呼吸位相同期のための処理は、治療装置に制御信号を出力する医用装置によって行われる。医用装置は、例えば治療装置と有線または無線で通信することで、治療装置を制御する。
【０００４】
内部呼吸同期によって被検体の呼吸位相との同期を行う場合には、治療前に被検体の透視画像を複数撮影し、撮影した複数の透視画像に写る被検体における患部位置の画像パターンを参照して、治療中に撮影される被検体の透視画像から腫瘍位置を特定する。内部呼吸同期には、撮影した複数の透視画像から選択した参照画像が用いられる。参照画像は、例えば複数選択される。内部呼吸同期に用いられる参照画像としては、例えば、被検体の最大呼気位置および最大吸気位置に対応する透視画像が用いられる。また、被検体に咳などによる呼吸が乱れているときに対応する透視画像は、外乱の要因となるため、例えば参照画像の選択対象から除外される。しかし、複数の選択画像の中から参照画像を選択する作業が煩雑であり、利便性が高くなかった。
【先行技術文献】
【特許文献】
【０００５】
【特許文献１】特開２０１７−１４４０００号公報
【発明の概要】
【発明が解決しようとする課題】
【０００６】
本発明が解決しようとする課題は、複数の透視画像から参照画像を選択する際の利便性を向上させることができる医用装置、医用装置の制御方法、およびプログラムを提供することである。
【課題を解決するための手段】
【０００７】
実施形態の医用装置は、取得部と、選択部と、を持つ。取得部は、時系列に被検体を撮影した透視画像を取得する。選択部は、前記取得部によって取得された複数の前記透視画像の中から、前記被検体の最大呼気位置および最大吸気位置に対応する透視画像を含んで参照画像を選択する。
【発明の効果】
【０００８】
本実施形態によれば、複数の透視画像から参照画像を選択する際の利便性を向上させることができる医用装置、医用装置の制御方法、およびプログラムを提供することができる。
【図面の簡単な説明】
【０００９】
【図１】医用装置１００を含む治療システム１の構成図。
【図２】医用装置１００の入力・表示部１２０により表示されるインターフェース画像ＩＭの一例を示す図。
【図３】医用装置１００により実行される処理の流れのフローチャートの一例を示す図。
【図４】第１ボタンＢ１、第２ボタンＢ２、および第３ボタンＢ３の表示態様の変化を示す図。
【図５】第４ボタンＢ４、第５ボタンＢ５、および第６ボタンＢ６の内容を示す図。
【図６】医用装置１００により実行される処理の流れの他のフローチャートの一例を示す図。
【図７】準備段階でインターフェース画像ＩＭの領域Ａ２に表示される画像の一例を示す図。
【図８】座標位置波形の１呼吸分を設定の説明のための図。
【図９】参照画像を選択する座標位置波形の変形例を示す図。
【図１０】参照画像を選択する座標位置波形の変形例を示す図。
【発明を実施するための形態】
【００１０】
以下、実施形態の医用装置、医用装置の制御方法、およびプログラムを、図面を参照して説明する。なお、また、本願でいう「ＸＸに基づく」とは、「少なくともＸＸに基づく」ことを意味し、ＸＸに加えて別の要素に基づく場合も含む。また、「ＸＸに基づく」とは、ＸＸを直接に用いる場合に限定されず、ＸＸに対して演算や加工が行われたものに基づく場合も含む。「ＸＸ」は、任意の要素（例えば、任意の情報）である。
【００１１】
＜構成＞
図１は、医用装置１００を含む治療システム１の構成図である。治療システム１は、例えば、治療装置１０と、医用装置１００とを備える。
【００１２】
治療装置１０は、例えば、寝台１１と、放射線源１２−１、１２−２と、検出器１３−１、１３−２と、照射門１４と、センサ１５と、治療装置側制御部２０とを備える。以下、符号におけるハイフンおよびこれに続く数字は、いずれの放射線源および検出器の組による透視用の放射線、或いは透視画像であるかを示すものとする。また、適宜、符号におけるハイフンおよびこれに続く数字を省略して説明を行う。
【００１３】
寝台１１には、治療を受ける被検体Ｐが固定される。放射線源１２−１は、被検体Ｐに対して放射線ｒ−１を照射する。放射線源１２−２は、放射線源１２−１とは異なる角度から、被検体Ｐに対して放射線ｒ−２を照射する。放射線ｒ−１およびｒ−２は、電磁波の一例であり、例えばＸ線である。以下、これを前提とする。
【００１４】
放射線ｒ−１は検出器１３−１によって検出され、放射線ｒ−２は検出器１３−２によって検出される。検出器１３−１および１３−２は、例えばフラット・パネル・ディテクタ（ＦＰＤ；Flat Panel Detector）、イメージインテンシファイア、カラーイメージインテンシファイアなどである。検出器１３−１は、放射線ｒ−１のエネルギーを検出してデジタル変換し、透視画像ＴＩ−１として医用装置１００に出力する。検出器１３−２は、放射線ｒ−２のエネルギーを検出してデジタル変換し、透視画像ＴＩ−２として医用装置１００に出力する。図１では、２組の放射線源および検出器を示したが、治療装置１０は、３組以上の放射線源および検出器を備えてもよい。
【００１５】
照射門１４は、治療段階において、被検体Ｐに対して治療ビームＢを照射する。治療ビームＢには、例えば、重粒子線、Ｘ線、γ線、電子線、陽子線、中性子線などが含まれる。図１では、１つの照射門１４のみ示したが、治療装置１０は複数の照射門を備えてもよい。
【００１６】
センサ１５は、被検体Ｐの外部呼吸位相を認識するためのものであり、被検体Ｐの身体に取り付けられる。センサ１５は、例えば、圧力センサである。センサ１５は、被検体Ｐから受ける圧力を電圧値（検出値）によって検出する。センサ１５で検出された電圧値は、外部呼吸位相に相当する。
【００１７】
治療装置側制御部２０は、医用装置１００からの制御信号に応じて、放射線源１２−１、１２−２、検出器１３−１、１３−２、および照射門１４を動作させる。
【００１８】
医用装置１００は、例えば、統括制御部１１０と、入力・表示部１２０と、入力操作取得部１２２と、表示制御部１２４と、取得部１３０と、対応付部１３１と、選択部１３２と、画像処理部１３６と、ターゲット位置特定部１４０と、出力制御部１５０と、記憶部１６０とを備える。統括制御部１１０、入力操作取得部１２２、表示制御部１２４、取得部１３０、対応付部１３１、選択部１３２、ターゲット位置特定部１４０、および出力制御部１５０は、例えば、少なくとも一部が、ＣＰＵ（Central Processing Unit）やＧＰＵ（Graphics Processing Unit）などのハードウェアプロセッサが記憶部１６０に格納されたプログラム（ソフトウェア）を実行することにより実現される。また、これらの構成要素のうち一部または全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）などのハードウェア（回路部；circuitryを含む）によって実現されてもよいし、ソフトウェアとハードウェアの協働によって実現されてもよい。
【００１９】
以下、医用装置１００の各部の機能について説明する。医用装置１００の説明において、透視画像ＴＩに対する処理として説明されたものは、特に注記が無い限り、透視画像ＴＩ−１、ＴＩ−２の双方に対して並行して実行されるものとする。統括制御部１１０は、医用装置１００の機能を統括的に制御する。
【００２０】
入力・表示部１２０は、例えば、ＬＣＤ（Liquid Crystal Display）や有機ＥＬ（Electroluminescence）表示装置、ＬＥＤ（Light Emitting Diode）ディスプレイなどの表示装置と、操作者による入力操作を受け付ける入力装置とを含む。入力・表示部１２０は、表示装置と入力装置が一体に形成されたタッチパネルであってもよいし、マウスやキーボードなどの入力デバイスを備えてもよい。
【００２１】
入力操作取得部１２２は、入力・表示部１２０に対してなされた操作（タッチ、フリック、スワイプ、クリック、ドラッグ、キー入力など）の内容を認識し、認識した操作の内容を統括制御部１１０に出力する。表示制御部１２４は、統括制御部１１０からの指示に応じて、入力・表示部１２０に画像を表示させる。表示制御部１２４は、治療の準備段階と、前記治療ビームＢの照射段階とのそれぞれの開始指示を受け付けるためのインターフェース画面を入力・表示部１２０に表示させる。なお、画像を表示させることには、演算結果に基づいて画像の要素を生成することと、予め作成された画像の要素を表示画面に割り当てることとが含まれる。
【００２２】
取得部１３０は、治療装置１０から透視画像ＴＩを取得する。また、取得部１３０は、センサ１５の検出値を取得し、センサ１５から出力される検出値に基づいて、外部呼吸波形を取得する。また、取得部１３０は、医用検査装置（不図示）から被検体Ｐの三次元ボリュームデータを取得する。
【００２３】
対応付部１３１は、取得部１３０が治療装置１０から取得した透視画像ＴＩと、透視画像ＴＩの変化を解析して求められる、ターゲットの３次元位置（Ｘ、Ｙ、Ｚ座標）等とを対応付ける。ターゲットとは、被検体Ｐの患部、すなわち治療ビームＢを照射する位置であってもよいし、マーカ或いは被検体Ｐの特徴箇所であってもよい。特徴箇所とは、横隔膜や心臓、骨など、透視画像ＴＩにおいて周囲の箇所との差異が比較的鮮明に現れるため、透視画像ＴＩをコンピュータが解析することで位置を特定しやすい箇所である。なお、対応付部１３１には、センサ１５から取得した検出値（呼吸位相）を追跡値とし、取得部３０が治療装置１０から取得した透視画像ＴＩとセンサ１５から取得した検出値（呼吸位相）と、を対応付けるようにしてもよい。
【００２４】
選択部１３２は、対応付部１３１でターゲット位置を対応付けられた透視画像ＴＩの中から、ターゲット位置特定に使用される参照画像を選択する。選択部１３２が選択する参照画像には、被検体Ｐの最大呼気位置および最大吸気位置に対応する透視画像ＴＩが含まれる。また、被検体Ｐが咳やくしゃみをしたり、激しく動いたりしたときの呼吸位相に対応する透視画像ＴＩは除かれる。これらの点については、後にさらに説明する。なお、選択部１３２では、対応付部１３１でターゲット位置に対応付けられる前の透視画像ＴＩを選択し、選択した透視画像ＴＩに対応付部１３１でターゲット位置に対応付けるようにしてもよい。
【００２５】
画像処理部１３６は、デフォーマブルレジストレーション、ＤＲＲ（Digitally Reconstructed Radiograph）画像生成などの画像処理を行う。デフォーマブルレジストレーションとは、時系列の３次元ボリュームデータに対して、ある時点の３次元ボリュームデータについて指定された位置情報を、他の時点の３次元ボリュームデータに展開する処理である。ＤＲＲ画像とは、３次元ボリュームデータに対して、上記の仮想的な放射線源から放射線が照射されたと仮定した場合に、この放射線に対応して３次元ボリュームデータから生成される仮想的な透視画像である。
【００２６】
ターゲット位置特定部１４０は、選択部１３２で選択された参照画像を手掛かりとして透視画像ＴＩにおけるターゲットの位置を特定する。なお、ターゲット位置は、一点であってもよいし、二次元または三次元の広がりを持つ領域であってもよい。
【００２７】
出力制御部１５０は、ターゲット位置特定部１４０により特定されたターゲット位置に基づいて、治療装置１０に照射許可信号を出力する。例えば、ゲーテッド照射法では、出力制御部１５０は、ターゲット位置がゲーティングウインドウ内に収まる場合に、治療装置１０にゲートオン信号を出力する。ゲーティングウインドウとは、二次元平面または三次元空間において設定される領域であり、照射許可範囲の一例である。ゲートオン信号とは、被検体Ｐに治療ビームＢを照射することを指示する信号であり、照射許可信号の一例である。以下、これらを前提として説明する。治療装置１０は、ゲートオン信号が入力されている場合、治療ビームＢを照射し、ゲートオン信号が入力されていない場合、治療ビームＢを照射しない。なお、照射許可範囲は、固定的に設定されるものに限らず、患部の移動に追従して移動するものであってもよい。
【００２８】
記憶部１６０は、例えば、ＲＡＭ（Random Access Memory）やＲＯＭ（Read Only Memory）、ＨＤＤ（Hard Disk Drive）、フラッシュメモリなどにより実現される。記憶部１６０には、前述したプログラムの他、時系列の三次元ＣＴ画像（以下、４ＤＣＴ画像）、透視画像ＴＩ、センサ１５の出力値などが格納される。
【００２９】
＜治療の流れ＞
以下、治療システム１における治療の流れについて説明する。治療システム１における治療は、計画段階、位置決め段階、準備段階、治療段階の複数の段階に分けて行われる。ここでは、各段階ごとにその治療の流れを説明する。また、治療システム１は、例えば、内部呼吸同期であるマーカレス追跡およびマーカ追跡、外部呼吸同期の３つのモードを切り替えて治療を行うことができる。ここでは、マーカレス追跡について説明する。なお、マーカレス追跡にはテンプレートマッチング法や機械学習を用いた手法等がある。以下では、テンプレートマッチング法を用いたマーカレス追跡について説明し、照射方法としてゲーテッド照射法を採用するものとして説明する。医用装置１００は、テンプレートマッチング法と、機械学習を用いた手法とを切り替え可能であってもよい。
【００３０】
［計画段階］
計画段階において、まず、被検体ＰのＣＴ撮影が行われる。ＣＴ撮影では、様々な呼吸位相毎に、様々な方向から被検体Ｐが撮影される。次に、ＣＴ撮影の結果に基づいて４ＤＣＴ画像が生成される。４ＤＣＴ画像は、三次元のＣＴ画像（前述した三次元ボリュームデータの一例）を時系列にｎ個並べたものである。このｎ個および時系列画像の時間間隔を乗算して求められる期間は、例えば、呼吸位相が１周期分変化する期間をカバーするように設定される。４ＤＣＴ画像は、記憶部１６０に格納される。
【００３１】
次に、医師や放射線技師などが、ｎ個のＣＴ画像のうち、例えば１つのＣＴ画像に対して、輪郭を入力する。この輪郭は、患部である腫瘍の輪郭や治療ビームＢを照射したくない臓器の輪郭等である。次に、例えば画像処理部１３６が、デフォーマブルレジストレーションによって、ｎ個のＣＴ画像のそれぞれについて輪郭を設定する。次に、治療計画が決定される。治療計画とは、設定された輪郭情報に基づいて、患部がどの位置にあるときに、どこに、どの方向から、どれだけの治療ビームＢを照射するかを規定するものであり、ゲーテッド照射法や追尾照射法などの治療法に応じて決定される。なお、計画段階の処理の一部または全部は、外部装置によって実行されてもよい。例えば、４ＤＣＴ画像を生成する処理は、ＣＴ装置によって実行されてもよい。
【００３２】
ここで、腫瘍の輪郭で区画される領域や、その領域の重心、或いは被検体Ｐの特徴箇所の位置などがターゲット位置となる。更に、治療計画において、ターゲット位置がどの位置にあれば治療ビームＢを照射してよいのかが決定される。デフォーマブルレジストレーションによって輪郭が設定された際に、ターゲット位置に対してマージンが自動的に、または手動で設定され、マージンを反映させてゲーティングウインドウが設定される。このマージンは、装置や位置決めの誤差などを吸収するためのものである。
【００３３】
［位置決め段階］
位置決め段階においては、寝台位置の調整が行われる。被検体Ｐは寝台１１に寝かされ、シェル等で固定される。まず、寝台位置の粗い調整が行われる。この段階において、作業者が、被検体Ｐの位置と姿勢を目視で確認し、照射門１４からの治療ビームＢが当たりそうな位置へ寝台１１を動かす。これにより、寝台１１の位置が粗く調整される。次に、寝台位置を細かく調整するために利用する画像が撮影される。例えば、３Ｄ−２Ｄレジストレーションが行われる場合は透視画像ＴＩが撮影される。透視画像ＴＩは、例えば被検体Ｐが息を吐き切ったタイミングで撮影される。寝台１１の位置は粗く調整済みであるため、透視画像ＴＩには、被検体Ｐの患部付近が写っている。
【００３４】
３Ｄ−２Ｄレジストレーションが行われる場合、この段階において、放射線源１２−１、１２−２、検出器１３−１、１３−２、および被検体Ｐの治療計画情報を使用して三次元ボリュームデータからＤＲＲ画像が生成される。ＤＲＲ画像と透視画像ＴＩに基づいて寝台移動量が算出され、寝台１１が移動させられる。透視画像ＴＩの撮影、寝台移動量算出、寝台１１の移動を繰り返すことで、寝台１１の位置が細かく調整される。
【００３５】
［準備段階（その１）］
位置決め段階が終了すると、準備段階に移行する。まず４ＤＣＴ画像から各位相のＤＲＲ画像が作成される。ＤＲＲ画像の作成は４ＤＣＴ画像撮影以降であればいつ実施してもよい。このとき、治療計画において設定されたゲーティングウインドウを射影した位置がＤＲＲ上のゲーティングウインドウとして設定される。準備段階では、まず参照画像として選択される対象となる透視画像ＴＩの撮影が行われる。透視画像ＴＩの撮影にあたり、医師等は、例えば被検体Ｐに対して数回（２回以上）の深呼吸を行うように指示する。被検体Ｐが医師等の指示に従って数回の深呼吸を行う間に、透視画像ＴＩは、被検体Ｐの２呼吸分をカバーするように撮影される。また、被検体Ｐが深呼吸を行う間、被検体Ｐの外部呼吸波形が、透視画像ＴＩと同期して取得される。取得された外部呼吸波形は、表示制御部１２４により入力・表示部１２０に表示される。撮影された透視画像ＴＩには、外部呼吸波形から求められる被検体Ｐの呼吸位相に基づく追跡値が対応付けられる。
【００３６】
また、この段階において、ＤＲＲ画像とＤＲＲ画像上のターゲット位置の情報から、透視画像ＴＩとターゲット位置との関係が学習され、更に、医師によるターゲット位置の修正が受け付けられる。そして、ターゲット位置が学習された透視画像ＴＩの中から、追跡値に基づいて、一つ以上の参照画像が選択され、選択された参照画像からテンプレートが生成される。テンプレートは、参照画像となる透視画像ＴＩそのものであってもよいし、この透視画像ＴＩの特徴的な一部を切り出したものであってよい。ターゲット位置の学習は、計画段階から治療段階までの間の、いずれのタイミングで実施されてもよい。例えば、被検体Ｐの２呼吸分の透視画像ＴＩうち、前半の１呼吸分の透視画像ＴＩからテンプレートを作成した場合、そのテンプレートを使用して、後半の１呼吸分の透視画像ＴＩでターゲットの追跡ができるか確認してもよい。その際、表示制御部１２４はＤＲＲ画像上に設定されたゲーティングウインドウを透視画像ＴＩ上に表示してもよい。
【００３７】
［準備段階（その２）］
そして、再度、透視画像ＴＩの撮影が開始される。ターゲット位置特定部１４０は、時系列で入力される透視画像ＴＩに対してテンプレートとのマッチングを行い、透視画像ＴＩに対してターゲット位置を割り付ける。表示制御部１２４は、透視画像ＴＩを動画として入力・表示部１２０に表示させながら、ターゲット位置が割り付けられた透視画像ＴＩのフレームにターゲット位置を重畳表示させる。この結果、医師等によりターゲット位置の追跡結果が確認される。
【００３８】
この際に、表示制御部１２４はＤＲＲ画像上に設定されたゲーティングウインドウを透視画像ＴＩ上に表示する。出力制御部１５０は、透視画像ＴＩ−１、ＴＩ−２の双方に関して、ターゲット位置がゲーティングウインドウ内に収まっているか否かを判定する。治療段階では、ターゲット位置がゲーティングウインドウ内に収まっている場合にゲートオン信号が治療装置１０に出力されるのであるが、準備段階では、ゲートオン信号の出力の有無が統括制御部１１０を介して表示制御部１２４に伝えられる。表示制御部１２４は、動画の表示に併せてゲートオン信号の出力の有無を入力・表示部１２０に表示させる。この結果、医師等によりゲートオン信号の出力タイミングが確認される。
【００３９】
［治療段階］
治療段階では、表示制御部１２４はＤＲＲ画像上に設定されたゲーティングウインドウを透視画像ＴＩ上に表示する。出力制御部１５０が、透視画像ＴＩ−１、ＴＩ−２の双方に関して、ターゲット位置がゲーティングウインドウ内に収まっている場合にゲートオン信号を治療装置１０に出力する。これによって、治療ビームＢが被検体Ｐの患部に照射され、治療が行われる。なお、ターゲット位置が患部の位置である場合には、追跡したターゲット位置がゲーティングウインドウ内に収まっている場合に治療ビームＢが照射され、ターゲット位置が被検体Ｐの特徴箇所の位置である場合には、予め学習されたターゲット位置と患部の位置との関係に基づいて、ターゲット位置から導出された患部の位置がゲーティングウインドウ内に収まっている場合に治療ビームＢが照射される。なお、これらの複合手法によって患部の位置に治療ビームＢが照射されてもよい。すなわち、ターゲット位置として患部の位置と、特徴箇所の位置とをそれぞれ設定しておき、患部が第１ゲーティングウインドウに収まり、特徴箇所が第２ゲーティングウインドウに収まる場合に治療ビームＢを照射するようにしてもよい。
【００４０】
＜表示画像、フローチャート＞
以下、上記説明した治療の流れをサポートするための、医用装置１００の処理について説明する。
【００４１】
図２は、医用装置１００の入力・表示部１２０により表示されるインターフェース画像ＩＭの一例を示す図である。インターフェース画像ＩＭは、例えば、領域Ａ１−１、Ａ１−２、Ａ２、Ａ３、Ａ４、Ａ５、Ａ６、およびＡ７を含む。
【００４２】
領域Ａ１−１では、透視画像ＴＩ−１に対してゲーティングウインドウＧＷやターゲット位置ＰＴが重畳表示される。領域Ａ１−２では、透視画像ＴＩ−２に対してゲーティングウインドウＧＷやターゲット位置ＰＴが重畳表示される。領域Ａ２には、外部呼吸波形やターゲット位置やゲート信号の出力などの各種グラフなどが表示される。
【００４３】
領域Ａ３には、モードなどの選択を受け付けるセレクトウインドウＳＷ、透視画像ＴＩの撮影開始または撮影停止を指示するための第１ボタンＢ１、透視画像ＴＩの撮影の一時停止を指示するための第２ボタンＢ２、治療セッションの終了を指示するための第３ボタンＢ３、時系列のＤＲＲ画像や透視画像ＴＩを遡って確認するためのスライドバーやコマ送りスイッチなどが設定されたコントロールエリアＣＡ、準備段階が完了したことを確認するためのチェックボックスＣＢなどが設定される。インターフェース画像ＩＭの各部に対する操作は、例えば、タッチ操作、マウスによるクリック、或いはキーボード操作などにより行われる。例えば、第１ボタンＢ１は、タッチ操作またはマウスによるクリックによって操作される。
【００４４】
領域Ａ４には、モードに応じた治療段階が、次のステップに進むことを指示するための第４ボタンＢ４、第５ボタンＢ５、および第６ボタンＢ６が設定される。領域Ａ５には、センサ１５の出力値に基づく外部呼吸波形のグラフなどが表示される。領域Ａ６には、被検体Ｐの治療計画情報などを示す画像やテキスト情報が表示される。領域Ａ７では、被検体ＰのＣＴ画像の断面に対し、Ｘ線の照射方向、照射野、および治療ビームＢの照射方向、ターゲットの輪郭やマーカＲＯＩ等が重畳表示される。
【００４５】
以下、インターフェース画像ＩＭの各種機能について、フローチャートを参照しながら説明する。図３は、医用装置１００により実行される処理の流れの一例を示すフローチャート（その１）である。なお、以降の説明において、医用装置１００に対する操作がなされたことを検知する際には、統括制御部１１０が入力操作取得部１２２から入力される情報を参照して判断するものとし、都度の説明を省略する。
【００４６】
まず、統括制御部１１０が、入力操作取得部１２２から入力される情報を参照し、第１ボタンＢ１の操作によって撮影開始が選択されたか否かを判定する（ステップＳ１０２）。図４は、第１ボタンＢ１、第２ボタンＢ２、および第３ボタンＢ３の表示態様の変化を示す図である。図示するように、第１ボタンＢ１は、初期状態で、撮影が「ＯＦＦ」すなわち停止している状態を示すと共に、「撮影開始」の指示を受け付ける態様となっている。第１ボタンＢ１が操作されると、撮影が「ＯＮ」すなわち実行されている状態を示すと共に、「撮影停止」の指示を受け付ける態様に変化する。第１ボタンＢ１は、これらの二つの態様の間で状態遷移する。
【００４７】
なお、第２ボタンＢ２は、初期状態で、操作されると撮影の「一時停止」の指示を受け付ける態様となっている。第２ボタンＢ２は、操作されると、「撮影再開」の指示を受け付ける態様に変化する。また、第３ボタンＢ３は、初期状態で、インターフェース画像ＩＭを「閉じる」指示を受け付ける態様となっており、操作されるとインターフェース画像ＩＭの表示が停止され、一連の処理が終了する。
【００４８】
第１ボタンＢ１の操作によって撮影開始が選択されると、統括制御部１１０は、出力制御部１５０に指示し、テンプレートとなる透視画像ＴＩの撮影を治療装置１０に指示する（ステップＳ１０４）。出力制御部１５０は、例えば、ｋ回の呼吸分の透視画像ＴＩを撮影するように治療装置１０に指示する。
【００４９】
次に、統括制御部１１０は、第４ボタンＢ４の操作によってレジストレーションが指示されたか否かを判定する（ステップＳ１０６）。図５は、第４ボタンＢ４、第５ボタンＢ５、および第６ボタンＢ６の内容を示す図である。第４ボタンＢ４は、レジストレーション（透視画像ＴＩにおけるターゲット位置ＰＴの学習）の指示を受け付け、第５ボタンＢ５は、参照画像の選択指示を受け付け、第６ボタンＢ６はゲートオン信号の確認指示を受け付ける。
【００５０】
第４ボタンＢ４の操作によってレジストレーションが指示されると、統括制御部１１０は、対応付部１３１に指示してＤＲＲ画像におけるターゲット位置ＰＴから透視画像ＴＩにおけるターゲット位置を求め、得られたターゲット位置ＰＴを透視画像ＴＩに重畳させて入力・表示部１２０に表示させるように表示制御部１２４に指示する（ステップＳ１０８）。前述したように、画像処理部１３６は、計画段階で撮影されたＣＴ画像から作成したＤＲＲ画像や、計画段階以降に撮影された透視画像ＴＩに基づいて、ターゲット位置ＰＴが既知であるＤＲＲ画像と、透視画像ＴＩとの間で画像の特徴部位をマッチングする処理などを行って、透視画像ＴＩにおけるターゲット位置ＰＴを導出する。透視画像ＴＩとターゲット位置ＰＴの関係は、対応付部１３１に提供される。また、透視画像ＴＩにターゲット位置ＰＴが重畳した画像は、例えば、インターフェース画像ＩＭの領域Ａ１−１、Ａ１−２に表示される。この状態で、統括制御部１１０は、ターゲット位置の調整を受け付ける（ステップＳ１１０）。ターゲット位置ＰＴの調整は、例えば領域Ａ１−１、Ａ１−２に対するドラッグ／ドロップ操作によって行われる。ターゲット位置ＰＴの調整が行われると、統括制御部１１０は、調整された透視画像ＴＩとターゲット位置ＰＴの関係を対応付部１３１に提供する。
【００５１】
次に、統括制御部１１０は、第５ボタンＢ５の操作によって参照画像の選択指示がされたか否かを判定する（ステップＳ１１２）。第５ボタンＢ５が操作されると、統括制御部１１０は、選択部１３２参照画像の選択を指示する（ステップＳ１１４）。選択部１３２は、透視画像ＴＩの中から参照画像を選択し、記憶部１６０に記憶させる。
【００５２】
次に、統括制御部１１０は、第６ボタンＢ６の操作によってゲートオン信号の確認が指示されたか否かを判定する（ステップＳ１１６）。ゲートオン信号の確認が指示されると、統括制御部１１０は、表示制御部１２４に指示し、チェックボックスＣＢに「レ」を入れた状態に変更させる（ステップＳ１１８）。チェックボックスＣＢに「レ」が入った状態では、ゲートオン信号の出力タイミングは計算されて表示されるが、実際にゲートオン信号は治療装置１０に出力されない。
【００５３】
次に、統括制御部１１０は、第１ボタンＢ１の操作によって撮影開始が選択されたか否かを判定する（ステップＳ１２０）。第１ボタンＢ１の操作によって撮影開始が選択されると、統括制御部１１０は、出力制御部１５０に指示し、透視画像ＴＩの撮影を治療装置１０に指示すると共に、表示制御部１２４に指示し、撮影された透視画像ＴＩを用いた確認画像を入力・表示部１２０に表示させる（ステップＳ１２２）。
【００５４】
確認画像は、領域ＡＩ−１、ＡＩ−２に表示される。確認画像は、動画として再生される透視画像ＴＩに対して、ターゲット位置ＰＴやゲーティングウインドウＧＷが重畳された画像である（図２参照）。また、出力制御部１５０は、ターゲット位置ＰＴがゲーティングウインドウＧＷに収まっている場合に、ゲートオン信号を表示制御部１２４に出力し、領域Ａ２に表示させる。医師等は、この確認画像を視認することで、被検体Ｐの患部などのターゲット位置ＰＴが正しい位置として認識されているかどうか、ターゲット位置ＰＴがゲーティングウインドウＧＷに収まるタイミングは適切かどうか、ゲートオン信号の出力効率等を確認することができる。確認画像は、第１ボタンＢ１の操作によって撮影停止が選択されるまで表示される（ステップＳ１２４）。撮影停止が選択された後も、スライドバーやコマ送りスイッチなどが設定されたコントロールエリアＣＡを操作することで、確認画像を遡って確認することができる。
【００５５】
第１ボタンＢ１の操作によって撮影停止が選択されると、統括制御部１１０は、チェックボックスＣＢの「レ」が外されているか否かを判定する（ステップＳ１２６）。チェックボックスＣＢの「レ」が外されていない場合、統括制御部１１０は、第１ボタンＢ１の操作によって撮影開始が選択されたか否かを判定する（ステップＳ１２８）。撮影開始が選択された場合は、ステップＳ１２２に処理が戻され、撮影開始が選択されていない場合はステップＳ１２６に処理が戻される。チェックボックスＣＢの「レ」が外されている場合、統括制御部１１０は、治療装置１０から開始信号を受信したか否かを判定する（ステップＳ１３０）。この開始信号は、治療装置１０のスイッチ（不図示）が操作されることで治療装置１０が治療開始可能になったときに出力される信号である。治療装置１０から開始信号を受信すると、統括制御部１１０は、治療を開始するように、表示制御部１２４、ターゲット位置特定部１４０および出力制御部１５０に指示し、出力制御部１５０は透視画像ＴＩの撮影を治療装置に指示する（ステップＳ１３２）。また、ステップ１２６でチェックボックスが外されている場合、治療装置１０から開始信号を受信していなくても、統括制御部１１０が第１ボタンＢ１の操作によって撮影開始されたかどうかを判定し、ターゲット位置特定部１４０が特定したターゲット位置ＰＴがゲーティングウインドウに収まっていれば、治療装置１０へゲートオン信号を出力してもよい（不図示）。この場合、治療装置からビームＢが出力されることはない。また、ステップ１２６でチェックボックスが外されていないが、撮影開始が選択された後にチェックボックスを外された場合、撮影途中からゲートオン信号を出力してもよい（不図示）。ターゲット位置特定部１４０は、透視画像ＴＩとテンプレートとのマッチングを行い、ターゲット位置ＰＴを特定する。出力制御部１５０は、ターゲット位置がゲーティングウインドウに収まっている場合にゲートオン信号を治療装置１０に出力する。表示制御部１２４は、透視画像ＴＩにターゲット位置やゲーティングウインドウＧＷを重畳させた治療画像を、入力・表示部１２０に表示させる。治療画像は、領域Ａ１−１、Ａ１−２に表示される。治療は、第１ボタンＢ１の操作によって撮影停止が選択されるまで継続する（ステップＳ１３４）。なお、医用装置１００は、治療装置１０から照射完了の信号を受信した場合、或いは、治療装置１０において照射終了操作がなされたことを示す信号を治療装置１０から受信した場合も、治療を終了してよい。
【００５６】
表示制御部１２４は、確認画像および治療画像において、ゲートオン信号を出力する際（確認段階では出力する条件が成立した際）に、ゲーティングウインドウの色を変更するようにしてもよい。例えば、透視画像ＴＩ−１とＴＩ−２のいずれにおいてもターゲット位置ＰＴがゲーティングウインドウＧＷに収まっていない場合に第１の色、透視画像ＴＩ−１とＴＩ−２のいずれか一方のみにおいてターゲット位置ＰＴがゲーティングウインドウＧＷに収まっている場合に第２の色、透視画像ＴＩ−１とＴＩ−２の双方においてターゲット位置ＰＴがゲーティングウインドウＧＷに収まっている場合に（すなわちゲートオン信号を出力する条件が成立した場合に）第３の色でゲーティングウインドウＧＷの枠線を表示してよい。また、透視画像ＴＩ−１とＴＩ−２のいずれにおいてもターゲット位置ＰＴがゲーティングウインドウＧＷに収まっていない場合には、エラーアイコンを表示してもよい。
【００５７】
また、表示制御部１２４は、ゲートオン信号を出力する条件が成立した場合に、ゲーティングウインドウＧＷの内側領域と外側領域のいずれかの色彩または輝度を変更してもよい。更に、医用装置１００は、ゲートオン信号を出力する条件が成立した場合に、音または振動で通知する通知部を備えてもよい。
【００５８】
また、マーカレス追跡、マーカ追跡、外部呼吸同期などのモードの切り替えは、適宜のタイミングで受け付けられてもよい。例えば。上記のフローチャートにおけるステップＳ１０２の手前の処理で受け付けられるのではなく、準備段階から治療段階にかけての任意のタイミングで受け付けられてよい。また、適宜、処理のやり直しが受け付けられる。例えば、確認画像を表示している場面において、参照画像の撮影からやり直すための操作が受け付けられる。なお、透視画像ＴＩの撮影後にモード切り替えが行われた場合、既に撮影された透視画像ＴＩをテンプレートに採用してもよい。
【００５９】
また、複数回に分けて治療が行われる場合、前回以前に作成されたテンプレートを引き継いで治療が行われてもよい。図６は、医用装置１００により実行される処理の流れの他の一例を示すフローチャート（その２）である。図示するように、セレクトウインドウＳＷにおいてマーカレス追跡が選択された後、統括制御部１１０は、いずれかの領域において「前回のテンプレートを使用する」ことが選択されたか否かを判定する（ステップＳ１０１）。「前回のテンプレートを使用する」ことが選択された場合、ステップＳ１０２〜Ｓ１１４の処理がスキップされ、ステップＳ１１６に処理が進められる。
【００６０】
次に、準備段階で行われる参照画像の選択について説明する。参照画像は、準備段階において、被検体Ｐが深呼吸を行った際に撮影された時系列の透視画像ＴＩの中から選択される。対応付部１３１は、参照画像を選択するにあたり、透視画像ＴＩにターゲット位置、または外部呼吸波形における被検体Ｐの呼吸位相を対応付ける。以下、参照画像の選択態様について説明する。
【００６１】
（参照画像の第１の選択態様）
まず、参照画像の第１の選択態様について説明する。参照画像は、撮影した透視画像ＴＩのすべてであってもよいが、複数の透視画像ＴＩのうち、似通った透視画像ＴＩが参照画像となると、情報が偏ってしまうことがある。このような情報の偏りを少なくして効率的にターゲットの動きの情報を得られるような透視画像ＴＩを選択することが望まれる。また、最大呼気位置と最大吸気位置の透視画像ＴＩを参照画像に含めることにより、ターゲットの位置特定に効果的になる。参照画像を選択する段階では、対応付部１３１が透視画像ＴＩとターゲット位置を対応付けており、図２に示すインターフェース画像ＩＭの領域Ａ１には透視画像ＴＩが表示され、領域Ａ２にはターゲット位置の座標の波形である座標位置波形α（図７参照）が表示される。医師等は、座標位置波形αにおける任意の一点を指定する。座標位置波形αの一点Ｔｐの指定は、座標位置波形αが表示された面を触れることによって行われる。選択部１３２は、医師等により指定された一点から座標位置波形αのうちの指定した呼吸分、例えば１呼吸分を切り取って設定する。なお、インターフェース画像ＩＭの領域Ａ２には、センサ１５で取得された外部呼吸波形が座標位置波形αとともに、あるいは座標位置波形αに代えて表示されてもよい。また、座標位置波形αの一点を指定する代わりに、外部呼吸波形の一点を指定するようにしてもよい。
【００６２】
例えば、図７に示す座標位置波形αの一点Ｔｐを医師等が指定したとする。この場合、選択部１３２は、１呼吸分の呼吸位相を切り取るにあたり、医師等が指定した一点Ｔｐを含む１呼吸を特定する。例えば、一点Ｔｐに近い最大吸気位置を中心として前後の最大吸気位置を特定する。最大呼気とは、１呼吸の間で被検体Ｐが息を吐き切った状態をいい、最大吸気とは、１呼吸の間で被検体が息を吐き出す直前の状態をいう。例えば、呼吸位相の変化が負から正に転じる点、正から負に転じる点を最大呼気または最大吸気として特定する。なお、最大呼気位置および最大吸気位置は、本発明の実施に支障のない範囲で、前記の転じる点とその近傍の点を含む。検出した位置は、医師等が手動で修正してもよい。なお、このとき、インターフェース画像ＩＭの領域Ａ１−１，Ａ１−２には、領域Ａ２に示すカーソルＱが位置する呼吸位相に対応する透視画像ＴＩが表示される。図７に示す例では、インターフェース画像ＩＭの領域Ａ２においてカーソルＱが最大呼気位置の時刻Ｔ８０に表示されている。インターフェース画像ＩＭの領域Ａ１−１，Ａ１−２には最大呼気位置の時刻Ｔ８０の透視画像ＴＩ−１、ＴＩ−２が表示されている。
【００６３】
こうして特定された呼吸位相を１呼吸分として切り取る。なお、１呼吸分の呼吸位相は、最大呼気位置を挟む２つの最大吸気位置の間における呼吸位相以外の呼吸位相でもよい。例えば、任意の一点Ｔｐを始点、または中心として決定された呼吸位相であってもよいし、最大吸気位置を挟む２つの最大呼気位置の間における呼吸位相としてもよい。
【００６４】
インターフェース画像ＩＭの領域Ａ２には、例えば図７に示すように、座標位置波形αが表示される。対応付部１３１は、例えば、医師等が指定した一点Ｔｐか座標位置波形αの最大呼気位置と最大吸気位置を特定して座標位置波形αの１呼吸分を設定する。なお、図７に示すグラフの縦軸はターゲット位置の座標位置、横軸は時間である。また、縦軸に示される座標位置は、ここでは、ターゲット位置のＸ、Ｙ、Ｚのいずれかの座標位置である。例えば、被検体Ｐの体軸に沿った方向をＺ軸方向、左右を向いた方向をＸ軸方向、前後を向いた方向をＹ軸方向として、Ｚ軸方向の座標位置を図７示す縦軸に示している。なお、Ｘ方向、Ｙ方向、Ｚ方向のうち、Ｚ方向の変位が最も大きいことから、Ｚ方向の座標位置の変化によって座標位置波形αを生成しているが、Ｘ方向やＹ方向の座標位置の変化によって座標位置波形を生成してもよい。
【００６５】
選択部１３２は、例えば、図８に示すように、切り取った１呼吸分の座標位置波形αの中で最大呼吸位置の透視画像ＴＩ及び最大呼吸位置を中心として、時間的に前後に同数の透視画像ＴＩを選択する。ここでは、具体的には、最大呼気位置の時刻Ｔ５０の前における時刻「Ｔ０」「Ｔ１２．５」「Ｔ２５」「Ｔ３７．５」の４つの透視画像ＴＩ、最大呼気位置の時刻「Ｔ５０」の透視画像ＴＩ、及び最大呼気位置の時刻「Ｔ５０」の後における時刻「Ｔ６２．５」「Ｔ７５」「Ｔ８７．５」「Ｔ１００」の４つの透視画像ＴＩの合計９つの透視画像ＴＩを選択する。
【００６６】
選択部１３２は、被検体Ｐのターゲット位置が対応付けられた複数の透視画像ＴＩの中から、最大呼気位置と最大吸気位置に対応する透視画像ＴＩを含む透視画像ＴＩを参照画像として選択する。例えば、呼吸位相が最大呼気位置に最も近い透視画像ＴＩが参照画像として選択されてもよいし、最大呼気位置等の任意の呼吸位相から前後数枚、例えば３枚程度の透視画像ＴＩが参照画像として選択されてもよい。なお、参照画像の選択方法は任意であり、例えば、上記の例では、ターゲット位置との対応付けがなされた透視画像ＴＩの全部が参照画像として選択されているが、呼吸位相との対応付けがなされた透視画像ＴＩの一部が参照画像として選択されてもよい。また、最大呼気位置および最大吸気位置の透視画像ＴＩは、座標位置波形αにおける他の位置の透視画像ＴＩよりも参照画像として好適に用いることができる画像である。
【００６７】
また、波形の１呼吸分の設定は、医師等による座標位置波形αの一点の指定がなくとも、自動的に行われるようにしてもよい。例えば、センサ１５で取得された座標位置波形αから最大呼気位置及び最大吸気位置を特定し、座標位置波形αにおける任意の最大呼気位置の前後の最大呼気位置の間の部分を座標位置波形αの１呼吸分とするようにしてもよい。また、照射位相の位置を中心として、指定した呼吸分を設定してもよい。また、医師等による点の指定は一点ではなく、二点以上であってもよく、例えば、呼吸位相の始点の終点を指定できるようにしてもよい。
【００６８】
また、医師等が一点Ｔｐを設定する際に、座標位置波形αまたは腫瘍の位置が表示された面を触れる態様に代えて、カーソルＱによって指定されている点を設定できる設定ボタンが設けられるようにしてもよい。また、座標位置波形αの範囲内でカーソルＱを移動可能として、選択候補となる透視画像ＴＩを医師等が選択できるようにしてもよい。
【００６９】
（参照画像の第２の選択態様）
次に、参照画像の第２の選択態様について説明する。参照画像を選択する座標位置波形αの１呼吸分は、最大呼気位置を挟む２つの最大吸気位置の間における呼吸以外の呼吸として設定してもよい。第２の選択態様では、インターフェース画像ＩＭの領域Ａ２に表示されている座標位置波形αのうち、医師等が触れて指定した一点を始点として、最大呼気位置から最大吸気位置を経て（または最大吸気位置から最大呼気位置を経て）、始点と同じ座標位置となる終点までを１呼吸分として設定する。例えば、図９に点線で示すように、座標位置波形αにおける一点を始点Ｔｓとし、最大呼気位置から最大吸気位置を経て始点Ｔｓと同じ座標位置となる終点Ｔｅまでを１呼吸分として設定する。こうして設定された１呼吸分に含まれる透視画像ＴＩが参照画像となる。
【００７０】
座標位置波形αにおけるどの範囲で１呼吸分を設定したとしても、１呼吸分には、必ず最大呼気位置および最大吸気位置が含まれる。したがって、１呼吸分における透視画像ＴＩには、最大呼気位置及び最大吸気位置の透視画像ＴＩが含まれるので、これらを参照画像として選択することができる。この態様では、最大呼気位置を挟む２つの最大吸気位置の間における呼吸以外の呼吸として設定する代わりに、座標位置波形αの一点を入力し、この一点を中心として、１呼吸分の範囲で前後に含まれる均等数の透視画像ＴＩを参照画像としてもよい。
【００７１】
（参照画像の第３の選択態様）
次に、参照画像の第３の選択態様について説明する。第３の態様では、指定した呼吸範囲が例えば複数回の呼吸にまたがる場合において、最大呼気位置および最大吸気位置が異なるときには、最大呼気位置と最大吸気位置の座標位置の差が最大となる最大呼気位置と最大吸気位置を含んだ範囲から参照画像を選択する。
【００７２】
ここで、図１０に示すように、およそ３呼吸分の間において、それぞれ３つの最大呼気位置および最大吸気位置が現れたとする。この場合には、座標位置の差が最大となる最大吸気位置と最大呼気位置を含んだ範囲、ここでは、時刻Ｔ０と時刻Ｔ２５０の間の範囲における透視画像ＴＩが参照画像として選択される。
【００７３】
また、時刻Ｔ０と時刻Ｔ２５０の間の範囲には、参照画像として選択可能となる透視画像ＴＩが半呼吸分よりも多く含まれている。この多数の透視画像ＴＩ中から参照画像を選択する場合には、例えば、座標位置の差が最大となる最大吸気位置の座標位置と最大呼気位置の座標位置を所定数に均等に分割して、該当する座標位置Ｄ０〜Ｄ１１に相当する位置における透視画像を参照画像として選択するようにしてもよい。
【００７４】
例えば、座標位置Ｄ０、Ｄ１１の透視画像ＴＩは、時刻Ｔ２５０、Ｔ０の透視画像ＴＩとなるが、例えば、座標位置Ｄ４の透視画像ＴＩは、時刻Ｔ０と時刻Ｔ５０の間、時刻Ｔ５と時刻Ｔ１００の間、時刻Ｔ１００と時刻Ｔ１５０の間、時刻Ｔ１５０と時刻Ｔ２００の間、時刻Ｔ２００と時刻Ｔ２５０の間、の５枚の透視画像ＴＩの中から適宜選択すればよい。選択の仕方としては、特に限定されず、例えば、最も時刻の大きい透視画像ＴＩを選択してもよいし、最も時刻の小さい透視画像ＴＩを選択してもよい。また、最大呼気位置や最大吸気位置の時刻に最も近い透視画像ＴＩを選択してもよいし、複数、ここでは３呼吸のうち、透視画像ＴＩが最大数含まれる１呼吸における透視画像ＴＩを選択してもよい。あるいは、３呼吸の中からまんべんなく透視画像ＴＩを参照画像として選択してもよい。
【００７５】
（参照画像の第４の選択態様）
参照画像を選択するにあたり、透視画像ＴＩを撮影している最中に、被検体Ｐが咳やくしゃみをして呼吸が乱れたり、呼吸が浅かったりすることがある。この場合の透視画像ＴＩは、参照画像としては使用しない方がターゲット位置の特定には効率的である。このため、第４の選択態様では、上記の参照画像の第１の選択態様から第３の選択態様において、透視画像ＴＩから参照画像を選択する前に、呼吸が乱れたり浅かったりする間に撮影された透視画像ＴＩを自動または手動で選択して参照画像の選択対象から削除する。
【００７６】
被検体Ｐの呼吸の乱れ等がある間に撮影された透視画像ＴＩを自動で選択するにあたっては、例えば、外部呼吸波形やターゲット位置の波形を観察し、これらの波形の乱れが大きかったり、これらの波形の単位時間当たりの変動量が大きく、所定のしきい値を超えているときに被検体Ｐの呼吸の乱れ等を検出すればよい。また、被検体Ｐの呼吸の乱れ等がある間に撮影された透視画像ＴＩを手動で選択するにあたっては、例えば、医師などがこれらの波形と透視画像ＴＩを見ながら、被検体Ｐの呼吸の乱れ等がある間に撮影された透視画像ＴＩを判断し、手動で削除してもよい。
【００７７】
以上説明した実施形態に係る医用装置１００によれば、時系列の透視画像に、被検体の呼吸位相に基づく追跡値を対応付ける対応付部１３１と、対応付けられた追跡値に基づいて、前記時系列の透視画像の中から参照画像を選択する選択部１３２とを備えることにより、複数の透視画像から参照画像を選択する際の利便性を向上させることができる。
【００７８】
また、実施形態に係る医用装置１００によれば、追跡値のうちの１つ（一点）を入力可能とされた入力・表示部１２０を備え、選択部１３２は、入力・表示部１２０に入力された追跡値のうちの１に応じた呼吸位相を含む被検体Ｐの１呼吸分の透視画像ＴＩを参照画像として選択することにより、追跡値のうちの一点を入力するだけで参照画像が選択される。したがって、複数の透視画像から参照画像を選択する際の利便性を向上させることができる。
【００７９】
また、実施形態に係る医用装置１００によれば、選択部１３２は、追跡値のうちの一点に応じた呼吸位相の直前における被検体Ｐの最大呼気位置を中心とした範囲の透視画像を参照画像として選択することにより、最大呼気位置の透視画像を参照画像に含めて好適な範囲の参照画像を選択することができる。なお、最大呼気位置は、最大吸気位置に変えてもよい。
【００８０】
また、実施形態に係る医用装置１００によれば、追跡値のうちの１つ（一点）を入力可能とされた入力・表示部１２０を備え、選択部１３２は、被検体Ｐの最大呼気位置に応じた追跡値が入力・表示部１２０に入力されたときに、入力された最大呼気位置を中心とした範囲の透視画像を参照画像として選択することにより、最大呼気位置の透視画像を参照画像に含めて好適な範囲の参照画像を選択することができる。なお、最大呼気位置は、最大吸気位置や照射位置に変えてもよい。
【００８１】
また、実施形態に係る医用装置１００によれば、選択部１３２は、最大呼気位置を中心として、前後に均等の数の透視画像を参照画像として選択することにより、最大呼気位置の透視画像を参照画像に含めて好適な範囲および数量の参照画像を選択することができる。なお、最大呼気位置は、最大吸気位置に代えてもよい。
【００８２】
また、実施形態に係る医用装置１００によれば、選択部１３２は、被検体Ｐの数呼吸分の間で、最大呼気位置および最大吸気位置が異なるときに、複数の最大呼気位置と最大吸気位置のうち、最大呼気位置と最大吸気位置の差が最大となる最大呼気位置と最大吸気位置の透視画像を含んで参照画像を選択することにより、参照画像の偏りを防止することができ、患部の正確な追跡に寄与することができる。
【００８３】
また、実施形態に係る医用装置１００によれば、選択部１３２は、複数の透視画像ＴＩを追跡値に基づいて並べ替え、追跡値の最大値と最小値の間で均等である追跡値が対応付けられた透視画像ＴＩを参照画像として選択することにより、異なる追跡値の参照画像を効率よく選択できる。
【００８４】
また、実施形態に係る医用装置１００によれば、表示制御部１２４は、ゲーティングウインドウを透視画像に重畳表示させ、ゲートオン信号を出力する際にゲーティングウインドウの色を変更することにより、ゲートオン信号の出力を医師等に分かりやすく知らせることができる。
【００８５】
また、実施形態に係る医用装置１００によれば、表示制御部１２４は、ゲーティングウインドウを透視画像に重畳表示させ、ゲートオン信号を出力する際に、ゲーティングウインドウの内側領域と外側領域のいずれかの色彩または輝度を変更することにより、ゲートオン信号の出力を医師等に分かりやすく知らせることができる。
【００８６】
また、実施形態に係る医用装置１００によれば、ゲートオン信号を出力する際に、音または振動で通知する通知部を備えることにより、ゲートオン信号の出力を医師等に分かりやすく知らせることができる。
【００８７】
（変形例）
上記実施形態で例示したフローチャートにおける各ステップは、その性質に反しない限り、実行順序が変更され、複数同時に実施され、或いは実施毎に異なった順序で実施されてもよい。
【００８８】
上記実施形態では、治療装置１０と医用装置１００が別体の装置であるように説明したが、治療装置１０と医用装置１００は一体の装置であってもよい。また、治療装置１０と医用装置１００が別体の装置である場合において、出力制御部１５０は、医用装置１００に内蔵される機能であってもよい。
【００８９】
また、透視画像ＴＩに対応付けた波形に一点を入力し、この一点を中心として１呼吸分より多い範囲または少ない範囲において、最大呼気位置と最大吸気位置を含む前後に均等数の透視画像ＴＩを参照画像としてもよい。また、透視画像ＴＩのうち、画素値が近い画像同士をグルーピングして、各グループごとに参照画像を選択するようにしてもよい。グルーピングされた参照画像における患部の位置は、例えば、各参照画像における患部の平均位置としてもよい。
【００９０】
また、ターゲットの移動が大きく、透視画像ＴＩ間のターゲット位置が大きく異なる場合等には、時系列の透視画像ＴＩの間に、補間画像を挿入するようにしてもよい。時系列の透視画像ＴＩの間に補間画像を挿入することにより、情報が補間でき、効率良く参照画像を選択することができる。また、補間画像を挿入するスムージングを実行させるためのスムージングボタンを設け、医師等の操作に基づいてスムージングを行うようにしてもよい。
【００９１】
また、上記実施形態では、１呼吸分の座標位置波形αから参照画像を選択し、テンプレートを作成しているが、１呼吸分未満の座標位置波形α、例えば半呼吸分の座標位置波形αから参照画像を選択してテンプレートを作成するようにしてもよい。この場合、最大呼気位置の近傍および最大吸気位置の近傍では、座標位置の変化があまり見られず、最大呼気位置および最大吸気位置から離れた位置では、座標位置の変化が比較的大きく見られる。このため、最大呼気位置の近傍および最大吸気位置の近傍では、選択する参照画像を少なくし、最大呼気位置および最大吸気位置から離れた位置では、選択する参照画像を多くするようにしてもよい。具体的に図１０を参照して、最大呼気位置の近傍および最大吸気位置の近傍のＤ０〜Ｄ２、Ｄ９〜Ｄ１１付近では選択する参照画像を少なくし、Ｄ３〜Ｄ８付近では選択する参照画像を多くするようにしてもよい。このように、選択する画像をソートすることにより、半呼吸分の選択画像であっても効率良く参照画像を選択し、テンプレートを作成することができる。また、１呼吸分あるいはそれ以上の座標位置波形から参照画像を選択する場合でも、最大呼気位置の近傍および最大吸気位置の近傍では、選択する参照画像を少なくし、最大呼気位置および最大吸気位置から離れた位置では、選択する参照画像を多くするようにしてもよい。
【００９２】
また、上記実施形態で選択した参照画像を使用し、例えば参照画像からテンプレートを作成することで、治療照射時に取得した透視画像ＴＩとテンプレートを比較するテンプレートマッチング法でターゲット位置を特定することができる。あるいは、参照画像を気化器学習することで、透視画像ＴＩ上のターゲット位置を特定することができる。
【００９３】
上記実施形態で説明した医用装置の制御方法は、時系列に被検体を撮影した透視画像を取得し、取得された複数の前記透視画像の中から、前記被検体の最大呼気位置および最大吸気位置に対応する透視画像を含んで参照画像を選択する、医用装置の制御方法である。
【００９４】
上記実施形態で説明したプログラムは、コンピュータに、時系列に被検体を撮影した透視画像を取得させ、取得された複数の前記透視画像の中から、前記被検体の最大呼気位置および最大吸気位置に対応する透視画像を含んで参照画像を選択させる、プログラムである。
【００９５】
以上説明した少なくともひとつの実施形態によれば、時系列に被検体（Ｐ）を撮影した透視画像（ＴＩ）を取得する取得部（１３０）と、前記取得部によって取得された複数の前記透視画像の中から、前記被検体の最大呼気位置および最大吸気位置に対応する透視画像を含んで参照画像を選択する選択部（１３２）とを持つことにより、複数の透視画像から参照画像を選択する際の利便性を向上させることができる。
【００９６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９７】
１…治療システム、１０…治療装置、１１…寝台、１２−１、１２−２…放射線源、１３−１、１３−２…検出器、１４…照射門、１５…センサ、２０…治療装置側制御部、１００…医用装置、１１０…統括制御部、１２０…入力・表示部、１２２…入力操作取得部、１２４…表示制御部、１３０…取得部、１３１…対応付部、１３２…選択部、１３６…画像処理部、１４０…ターゲット位置特定部、１５０…出力制御部、１６０…記憶部
【図１】
2019107393.tif 000003
【図２】
2019107393.tif 000004
【図３】
2019107393.tif 000005
【図４】
2019107393.tif 000006
【図５】
2019107393.tif 000007
【図６】
2019107393.tif 000008
【図７】
2019107393.tif 000009
【図８】
2019107393.tif 000010
【図９】
2019107393.tif 000011
【図１０】
2019107393.tif 000012